【事件の表示】
　特許第２７５４３３４号「ヒューズスプリング内蔵サーモスタット」の請求項１ないし４、８、１２に係る特許に対する特許異議の申立てについて、次のとおり決定する。
【結論】
　訂正を認める。
　特許第２７５４３３４号の請求項１ないし４に係る特許を維持する。
【理由】
１．手続の経緯
　特許第２７５４３３４号の請求項１ないし１５に係る発明についての出願は、平成６年６月２２日に特許出願され、平成１０年３月６日にその特許の設定登録がなされ、その後、その特許について、異議申立人株式会社生方製作所より特許異議の申立がなされ、取消理由通知がなされ、その指定期間内である平成１１年４月２６日に訂正請求がなされたものである。
２．訂正の適否についての判断
ア．訂正の内容
　特許権者が求めている訂正の内容は以下の通りである（なお、特許明細書の請求項を単に「請求項」といい、訂正明細書の請求項を「訂正後の請求項」という。）
ａ．特許請求の範囲の請求項１を「外部回路に接続される第１の端子を一端に有する第１の固定導体と、外部回路に接続される第２の端子を一端に有する第２の固定導体と、上記第１の固定導体と上記第２の固定導体を互いに電気的に絶縁しながら支持する基体と、上記第１の固定導体上に設けられた固定接点と、一端が上記第２の固定導体に固定された弾性導体と、弾性導体の他端に上記固定接点に接触可能に配置された可動接点と、第１の所定の温度を超えるとそれの形状の曲率の符号を可逆的に反転させるバイメタル板であって、曲率の符号を変えるときに弾性導体を変形させるように配置され、弾性導体が変形することにより固定接点と可動接点が接触しあるいは離れるバイメタルを備えるサーモスタットにおいて、コイルばねの内部に配置した易溶合金を加圧変形して該コイルばねを圧縮状態で加締めてなるヒューズスプリングを設け、上記第１の所定の温度よりも高い第２の所定の温度を超えると、上記易溶合金が溶融して上記コイルばねの加締めが解除され、この加締めの解除に基づく上記コイルばねの伸長動作によって上記可動接点を上記固定接点から永久に離すことを特徴とするヒューズスプリング内蔵サーモスタット。」と訂正する。
ｂ．特許請求の範囲の請求項３の「可能接点」を「可動接点」と訂正する。
ｃ．特許請求の範囲の請求項９を訂正後の請求項８として、「易溶合金が溶解し、コイルばねが伸長したとき、長さが１．５倍以上になることを特徴とする請求項２記載のヒューズスプリング内蔵サーモスタット。」と訂正する。
ｄ．特許請求の範囲の請求項１３を訂正後の請求項９として、「ヒューズスプリングが、酸化防止のために少くとも一種のフラックスでコーティングされていることを特徴とする請求項１記載のヒューズスプリング内蔵サーモスタット。」と訂正する。
ｅ．特許請求の範囲の請求項１４を訂正後の請求項１０として、「コイルばねを、プレス加工により易溶合金で加締めることにより請求項１のサーモスタットの中で使用されるヒューズスプリングを製造することを特徴とするヒューズスプリングの製造方法。」と訂正する。
ｆ．特許請求の範囲の請求項８，１０，１１，１２，１５を削除する。
ｇ．発明の詳細な説明の欄の段落番号【０００５】および【０００６】に記載の文を以下のように訂正する。
「【０００５】
　【課題を解決するための手段】
　外部回路に接続される第１の端子を一端に有する第１の固定導体と、外部回路に接続される第２の端子を一端に有する第２の固定導体と、上記第１の固定導体と上記第２の固定導体を互いに電気的に絶縁しながら支持する基体と、上記第１の固定導体上に設けられた固定接点と、一端が上記第２の固定導体に固定された弾性導体と、弾性導体の他端に上記固定接点に接触可能に配置された可動接点と、第１の所定の温度を超えるとそれの形状の曲率の符号を可逆的に反転させるバイメタル板であって、曲率の符号を変えるときに弾性導体を変形させるように配置され、弾性導体が変形することにより固定接点と可動接点が接触しあるいは離れるバイメタルを備えるサーモスタットにおいて、コイルばねの内部に配置した易溶合金を加圧変形して該コイルばねを圧縮状態で加締めてなるヒューズスプリングを設け、上記第１の所定の温度よりも高い第２の所定の温度を超えると、上記易溶合金が溶融して上記コイルばねの加締めが解除され、この加締めの解除に基づく上記コイルばねの伸長動作によって上記可動接点を上記固定接点から永久に離すことを特徴とする。
　【０００６】
　【作用】
　第２の所定の温度である易溶合金の融点を超えるとコイルスプリングが伸長し、弾性導体を押上げ、可動接点を固定接点から引き離す。温度が低下し、易溶合金が凝固してもコイルスプリングは縮まらず、可動接点が固定接点から離れたままの状態が維持される。」
ｈ．発明の詳細な説明の欄の段落番号【０００８】ないし【００１０】、【００２２】、【００２９】ないし【００３４】、【００３６】に記載の文を削除する。
ｉ．図面の簡単な説明の欄の「【図９】ヒューズスプリングの他の好ましい実施例の断面図
　【図１０】図９のヒューズスプリングの機能を説明するための斜視図
　【図１１】図９のヒューズスプリングの機能を説明するための斜視図
　【図１２】ヒューズスプリングのさらに他の好ましい実施例の断面図
　【図１３】図１２のヒューズスプリングの断面図。」及び「１０　ヒューズスプリング」を削除し、図面の図９〜図１３を削除する。
イ．訂正の目的の適否、新規事項の有無及び拡張・変更の存否
ａ．上記ａの訂正事項に関連する記載として、【請求項８】に「ヒューズスプリングが、コイルばねを圧縮変形させた状態を易溶合金または合成樹脂で固定したものであることを特徴とする」と記載され、【００２１】欄には「ヒューズスプリング８は例えば図５，図６に示すように、雌型９ａの中にコイルスプリング８ｂを置き、コイルスプリング８ｂの中心部に円柱状の易溶合金を置き、雄型９ｂでプレス加工で加締めることによって得られる。」と記載されており、更に図５及び図６を参酌すれば「外部回路に接続される第１の端子を一端に有する第１の固定導体と、外部回路に接続される第２の端子を一端に有する第２の固定導体と、上記第１の固定導体と上記第２の固定導体を互いに電気的に絶縁しながら支持する基体と、上記第１の固定導体上に設けられた固定接点と、一端が上記第２の固定導体に固定された弾性導体と、弾性導体の他端に上記固定接点に接触可能に配置された可動接点と、第１の所定の温度を超えるとそれの形状の曲率の符号を可逆的に反転させるバイメタル板であって、曲率の符号を変えるときに弾性導体を変形させるように配置され、弾性導体が変形することにより固定接点と可動接点が接触しあるいは離れるバイメタルを備えるサーモスタットにおいて、コイルばねの内部に配置した易溶合金を加圧変形して該コイルばねを圧縮状態で加締めてなるヒューズスプリングを設け、上記第１の所定の温度よりも高い第２の所定の温度を超えると、上記易溶合金が溶融して上記コイルばねの加締めが解除され、この加締めの解除に基づく上記コイルばねの伸長動作によって上記可動接点を上記固定接点から永久に離すことを特徴とするヒューズスプリング内蔵サーモスタット。」は特許明細書に記載されているものと認める。
　そうすると、上記ａの訂正は、特許明細書に記載された事項の範囲内においてヒューズスプリングの構成を限定したものといえるから、特許請求の範囲の減縮に該当するものであり、新規事項の追加に該当しない。
ｂ．上記ｂの訂正は誤記の訂正に該当する。
ｃ．上記ｃの訂正は【請求項９】の「または合成樹脂」を削除して新たな請求項としたものであるから、特許請求の範囲の減縮に該当し、新規事項の追加に該当しない。
ｄ．上記ｄの訂正は、他の請求項の削除に伴い請求項１３をそのまま訂正後の請求項９にしたものであり、明りょうでない記載の釈明に該当し、新規事項の追加に該当しない。
ｅ．上記ｅの訂正は、他の請求項の削除に伴い請求項１４を訂正後の請求項１０にし、さらに、当該請求項が引用する訂正後の請求項１の記載に整合するように「コイルばね、板ばね、ねじりコイルばね」を「コイルばね」に訂正したものであり、明りょうでない記載の釈明に該当し、新規事項の追加に該当しない。
ｆ．上記ｆの訂正は特許請求の範囲の請求項を削除するものであり、特許請求の範囲の減縮に該当するものであり、新規事項の追加に該当しない。
ｇ．上記ｇの訂正は、上記ａの訂正に伴って、特許請求の範囲の記載との整合を図ったものであり、明りょうでない記載の釈明に該当するものであって、新規事項の追加に該当しない。
ｈ．上記ｈの訂正は、削除された請求項に関連する説明文を削除するものであり、明りょうでない記載の釈明に該当するものであって、新規事項の追加に該当しない。
ｉ．上記ｉの訂正は、削除された請求項に関連する図面を削除するものであり、明りょうでない記載の釈明に該当するものであって、新規事項の追加に該当しない。
　そして、上記のいずれの訂正も実質上特許請求の範囲を拡張し、又は変更するものでもない。
ウ．独立特許要件の判断
（本件発明）
　訂正明細書の請求項１−１０に係る発明（以下、「本件第１発明」−「本件第１０発明」という。）は、訂正明細書の特許請求の範囲の請求項１−１０に記載されたつぎのとおりのものである。
「【請求項１】外部回路に接続される第１の端子を一端に有する第１の固定導体と、外部回路に接続される第２の端子を一端に有する第２の固定導体と、上記第１の固定導体と上記第２の固定導体を互いに電気的に絶縁しながら支持する基体と、上記第１の固定導体上に設けられた固定接点と、一端が上記第２の固定導体に固定された弾性導体と、弾性導体の他端に上記固定接点に接触可能に配置された可動接点と、第１の所定の温度を超えるとそれの形状の曲率の符号を可逆的に反転させるバイメタル板であって、曲率の符号を変えるときに弾性導体を変形させるように配置され、弾性導体が変形することにより固定接点と可動接点が接触しあるいは離れるバイメタルを備えるサーモスタットにおいて、コイルばねの内部に配置した易溶合金を加圧変形して該コイルばねを圧縮状態で加締めてなるヒューズスプリングを設け、上記第１の所定の温度よりも高い第２の所定の温度を超えると、上記易溶合金が溶融して上記コイルばねの加締めが解除され、この加締めの解除に基づく上記コイルばねの伸長動作によって上記可動接点を上記固定接点から永久に離すことを特徴とするヒューズスプリング内蔵サーモスタット。
　【請求項２】上記ヒューズスプリングの少なくとも側面と上面はキャップで覆われていることを特徴とする請求項１記載のヒューズスプリング内蔵サーモスタット。
　【請求項３】第２の所定の温度以上で上記ヒューズスプリングが上記弾性導体を押圧し、固定接点から可動接点を離すことを特徴とする請求項１記載のヒューズスプリング内蔵サーモスタット。
　【請求項４】第２の所定の温度以上で上記ヒューズスプリングがバイメタル板を押圧し、固定接点から可動接点を離すことを特徴とする請求項１記載のヒューズスプリング内蔵サーモスタット。
　【請求項５】上記ヒューズスプリングが基体に設けられた凹部の中に収納されていることを特徴とする請求項１記載のヒューズスプリング内蔵サーモスタット。
　【請求項６】第２の所定の温度以上になったとき、ヒューズスプリングが弾性導体に当接することを特徴とする請求項５記載のヒューズスプリング内蔵サーモスタット。
　【請求項７】弾性導体が電気抵抗により発熱することを特徴とする請求項１記載のヒューズスプリング内蔵サーモスタット。
　【請求項８】易溶合金が溶解し、コイルばねが伸長したとき、長さが１．５倍以上になることを特徴とする請求項２記載のヒューズスプリング内蔵サーモスタット。
　【請求項９】ヒューズスプリングが、酸化防止のために少くとも一種のフラックスでコーティングされていることを特徴とする請求項１記載のヒューズスプリング内蔵サーモスタット。
　【請求項１０】コイルばねを、プレス加工により易溶合金で加締めることにより請求項１のサーモスタットの中で使用されるヒューズスプリングを製造することを特徴とするヒューズスプリングの製造方法。」
（引用刊行物記載の発明）
　当審が取消理由通知において引用した刊行物１（特開昭５７−１５７４２３号公報）には、サーモスタットの製造方法が記載され、「サーモスタットは、第１図に例示するように、外部機器に接続される端子ａ，ｂと、該両端子ａ，ｂ間に介在させた電気絶縁体ｃと、端子ａに基部を連結支承させ、その先端に設けたｄ１を端子ｂ側に当接させた可動板ｄとからなっている。上記可動板ｄは弾性金属板からなり、その中央部に断面半円状の突起ｄ２を備えるとともに、その両端部を打抜いて突設した保持片ｄ３，ｄ３によってその上面側に配したバイメタルｅの両端を係止している。…しかして上記可動板ｄは、温度上昇に伴う上記バイメタルｅの反転作動によってその接点ｄ１を開くように作用する。」（第１頁右欄第４行〜第２頁左上欄第１行）こと及び第５図において端子２の支持片２１に設けた接点２２が記載されている。
　同じく引用した刊行物２（特開昭６３−１７４２３４号公報）には、密閉型二重安全機構付プロテクタが記載され、「第３図の記号１４で示すものは鋼などで作られた弾発板でその右側１４Ａは容器１の内面に溶接などの方法により固着されており通常の自由状態における弾発板１４の形状は点線で示すが、これを強制的に図示の如く弾性領域内で変形させて例えば２００℃で溶融する錫と鉛の合金である易融金属１５により容器１の内面にハンダ付けにより固着してある。…周囲温度の上昇によりプロテクタ容器１の温度つまり易融金属１５の温度が例えば２００℃になると軟化して弾発板１４の復元力に抗し切れず無拘束となるから弾発板１４は熱応動１０を強制的に上方へ押し上げて可動接点１１を固定接点５から開離せしめる事が出来る。」（第３頁右下欄第５行〜同欄最下行）ことが記載されている。
　同じく引用した刊行物３（特開平５−６２５７５号公報）には、熱応動スイッチが記載され、「又導電ピン３の固定突起３Ａには熱応動板支持体７がその固定側端部近傍に穿たれた取付孔７Ａで装着されており、導電ピン３にほぼ直交する形でショルダー部３Ｂに突き合わされ、所定の温度で溶融するハンダなどの導電性易溶融材料８によって固着されている。またこの時、前述のバネ５は絶縁子６を介して熱応動板支持体７によって押圧圧縮され、その復元力を蔵した状態にされる。」（第３頁右欄第２８行〜同欄第３５行）こと、「このバネは電動機の通常の運転時には熱応動板支持体固着部に変形を与えないようにその転移温度を設定された形状記憶合金などに置き換える事も可能である。」（第５頁左欄第１９行〜同欄第２２行）ことが記載されている。
（対比・判断）
　本件第１発明と刊行物１−３に記載された発明とを対比すると、刊行物１−３の何れにも、本件第１発明の構成要件である「コイルばねの内部に配置した易溶合金を加圧変形して該コイルばねを圧縮状態で加締めてなるヒューズスプリングを設け、上記第１の所定の温度よりも高い第２の所定の温度を超えると、上記易溶合金が溶融して上記コイルばねの加締めが解除され、この加締めの解除に基づく上記コイルばねの伸長動作によって上記可動接点を上記固定接点から永久に離す」構成が記載されていない。そして、該構成により、本件第１発明は、「１）サーモスタットと温度ヒューズを一体化できる。２）構造が、機能に比して簡単である。３）製造費用が低廉である。４）温度ヒューズの部分とサーモスタットの部分を独立に製品検査できるので、信頼性が高い。」という顕著な効果を奏するものであり、本件第１発明は、上記刊行物１−３記載のものから当業者が容易に発明をすることができたものではない。また、本件第２−１０発明はいずれも本件第１発明の構成を構成要件とするものであるから、本件第１発明が上記刊行物１−３記載のものから当業者が容易に発明をすることができたものではない以上、本件第２−１０発明はいずれも上記刊行物１−３記載のものから当業者が容易に発明をすることができたものではない。
　したがって、本件第１−１０発明はいずれも特許出願の際独立して特許を受けることができるものである。
エ．むすび
　以上のとおりであるから、上記訂正は、特許法第１２０条の４第２項及び同条第３項で準用する第１２６条第２−４項の規定に適合するので、当該訂正を認める。
３．特許異議の申立てについての判断
ア．申立ての理由の概要
　申立人株式会社生方製作所は、請求項１，３，４に係る発明は、甲第１号証（特開昭５７−１５７４２３号公報）、甲第２号証（特開昭６３−１７４２３４号公報）をもとに容易に発明をすることができたものであり、請求項２，８，１２に係る発明は、甲第１−２号証、甲第３号証（特開平５−６２５７５号公報）をもとに容易に発明をすることができたものであり、特許法第２９条第２項の規定により特許を受けることができないものであるから、特許を取り消すべきと主張している。
イ．判断
　甲第１−３号証はそれぞれ取消理由通知で示した刊行物１−３に対応するが、本件第１−４発明はいずれも上記２．ウで示したように該刊行物１−３に記載された発明から容易に発明をすることができたものとすることはできない。
　また、他に本件発明の特許を取り消すべき理由を発見しない。
　よって、結論のとおり決定する。
【異議決定日】
平成１１年１０月２７日（１９９９．１０．２７）
【訂正の要旨】
訂正の要旨
▲１▼特許請求の範囲を、特許請求の範囲の減縮、誤記の訂正及び明りょうでない記載の釈明を目的として、以下のように訂正する。
　【特許請求の範囲】
　【請求項１】　外部回路に接続される第１の端子を一端に有する第１の固定導体と、外部回路に接続される第２の端子を一端に有する第２の固定導体と、上記第１の固定導体と上記第２の固定導体を互いに電気的に絶縁しながら支持する基体と、上記第１の固定導体上に設けられた固定接点と、一端が上記第２の固定導体に固定された弾性導体と、弾性導体の他端に上記固定接点に接触可能に配置された可動接点と、第１の所定の温度を超えるとそれの形状の曲率の符号を可逆的に反転させるバイメタル板であって、曲率の符号を変えるときに弾性導体を変形させるように配置され、弾性導体が変形することにより固定接点と可動接点が接触しあるいは離れるバイメタルを備えるサーモスタットにおいて、
　
コイルもまねの内部に配置した易溶合金を加圧変形して該コイルもまねを圧縮状態で加締めてなるヒューズスプリングを設け、
　
上記第１の所定の温度よりも高い
、上記易溶合金が溶融して上記コイルばねの加締めが解除され、この加締めの解除に基づく上記コイルばねの伸長動作によって
　【請求項２】　上記ヒューズスプリングの少なくとも側面と上面はキャップで覆われていることを特徴とする請求項２記載のヒューズスプリング内蔵サーモスタット。
　【請求項３】　第２の所定の温度以上で上記ヒューズスプリングが上記弾性導体を押圧し、固定接点から可
動
　【請求項４】　第２の所定の温度以上で上記ヒューズスプリングがバイメタル板を押圧し、固定接点から可動接点を離すことを特徴とする請求項１記載のヒューズスプリング内蔵サーモスタット。
　【請求項５】　上記ヒューズスプリングが基体に設けられた凹部の中に収納されていることを特徴とする請求項１記載のヒューズスプリング内蔵サーモスタット。
　【請求項６】　第２の所定の温度以上になったとき、ヒューズスプリングが弾性導体に当接することを特徴とする請求項５記載のヒューズスプリング内蔵サーモスタット。
　【請求項７】　弾性導体が電気抵抗により発熱することを特徴とする請求項１記載のヒューズスプリング内蔵サーモスタット。
　【請求項８】　
易溶金属が溶解し、コイルばねが伸長したとき、長さが１．５倍以上になることを特徴とする請求項２記載のヒューズスプリング内蔵サーモスタット。
　【請求項９】　
ヒューズスプリングが、酸化防止のために少くとも一種のフラックスでコーティングされていることを特徴とする請求項１記載のヒューズスプリング内蔵サーモスタット。
　【請求項１０】　
コイルばねを、プレス加工により易溶合金で加締めることにより請求項１のサーモスタットの中で使用されるヒューズスプリングを製造することを特徴とするヒューズスプリングの製造方法。
▲２▼発明の詳細な説明の欄の段落番号【０００５】および【０００６】に記載のを、明りょうでない記載の釈明を目的として、以下のように訂正する。
　【０００５】
　【課題を解決するための手段】
外部回路に接続される第１の端子を一端に有する第１の固定導体と、外部回路こ接続される第２の端子を一端に有する第２の固定導体と、上記第１の固定導体上記第２の固定導体を互いに電気的に絶縁しながら支持する基体と、上記第１固定導体上に設けられた固定接点と、一端が上記第２の固定導体に固定された、性導体と、弾性導体の他端に上記固定接点に接触可能に配置された可動接点と、１の所定の温度を超えるとそれの形状の曲率の符号を可逆的に反転させるバイタル板であって、曲率の符号を変えるときに弾性導体を変形させるように配置れ、弾性導体が変形することにより固定接点と可動接点が接触しあるいは離れバイメタルを備えるサーモスタットにおいて、
コイルばねの内部に配置した易べ合金を加圧変形して該コイルもまねを圧縮状態で加締めてなるヒューズスプリンミを設け、上記第１の所定の温度よりも高い
上記溶合金が溶融して上記コイルばねの加締めが解除され、この加締めの解除に基ごく上記コイルばねの伸長動作によって
る。
　【０００６】
　【作用】
　
第２
▲３▼発明の詳細な説明の欄の段落番号【０００８】ないし【００１０】に記載の文を、明りょうでない記載の釈明を目的として、削除する。
▲４▼発明の詳細な説明の欄の段落番号【００２２】に記載の文を、明りょうでない記載の釈明を目的として、削除する。
▲５▼発明の詳細な説明の欄の段落番号【００２９】ないし【００３４】に記載の文を、明りょうでない記載の釈明を目的として、削除する。
▲６▼発明の詳細な説明の欄の段落番号【００３６】に記載の文を削除する。
▲７▼図面の簡単な説明の欄を、明りょうでない記載の釈明を目的として、以下のように訂正する。
　【図面の簡単な説明】
　【図１】本発明に係るヒューズスプリング内蔵サーモスタットの概念的断面図。
　【図２】図１の第１の固定導体１の斜視図。
　【図３】図１のヒューズスプリング内蔵サーモスタットの第２の所定温度以上における状態の概念的断念図。
　【図４】ヒューズスプリングの好ましい一例の斜視図。
　【図５】図４のヒューズスプリングの製造の一工程における断面図。
　【図６】図４のヒューズスプリングの製造の一工程における断面図。
　【図７】ヒューズスプリングの他の好ましい一例の断面図。
　【図８】図７のヒューズスプリングの第２所定温度以上における状態の概念的図面図。
　【符号の説明】
１　第１の固定導体
２　固定接点
３　第２の固定導体
４　基体
５　弾性導体板
６　可動接点
７　バイメタル板
８　ヒューズスプリング
▲８▼図面の図９〜図１３を、明りょうでない記載の釈明を目的として、削除する。
（５４）【発明の名称】
ヒューズスプリング内蔵サーモスタット
（５７）【特許請求の範囲】
　【請求項１】　外部回路に接続される第１の端子を一端に有する第１の固定導体と、外部回路に接続される第２の端子を一端に有する第２の固定導体と、上記第１の固定導体と上記第２の固定導体を互いに電気的に絶縁しながら支持する基体と、上記第１の固定導体上に設けられた固定接点と、一端が上記第２の固定導体に固定された弾性導体と、弾性導体の他端に上記固定接点に接触可能に配置された可動接点と、第１の所定の温度を超えるとそれの形状の曲率の符号を可逆的に反転させるバイメタル板であって、曲率の符号を変えるときに弾性導体を変形させるように配置され、弾性導体が変形することにより固定接点と可動接点が接触しあるいは離れるバイメタルを備えるサーモスタットにおいて、
　コイルばねの内部に配置した易溶合金を加圧変形して該コイルばねを圧縮状態で加締めてなるヒューズスプリングを設け、
　上記第１の所定の温度よりも高い
、上記易溶合金が溶融して上記コイルばねの加締めが解除され、この加締めの解除に基づく上記コイルばねの伸長動作によって
　【請求項２】　上記ヒューズスプリングの少なくとも側面と上面はキャップで覆われていることを特徴とする請求項１記載のヒューズスプリング内蔵サーモスタット。
　【請求項３】　第２の所定の温度以上で上記ヒューズスプリングが上記弾性導体を押圧し、固定接点から可動接点を離すことを特徴とする請求項１記載のヒューズスプリング内蔵サーモスタット。
　【請求項４】　第２の所定の温度以上で上記ヒューズスプリングがバイメタル板を押圧し、固定接点から可動接点を離すことを特徴とする請求項１記載のヒューズスプリング内蔵サーモスタット。
　【請求項５】　上記ヒューズスプリングが基体に設けられた凹部の中に収納されていることを特徴とする請求項１記載のヒューズスプリング内蔵サーモスタット。
　【請求項６】　第２の所定の温度以上になったとき、ヒューズスプリングが弾性導体に当接することを特徴とする請求項５記載のヒューズスプリング内蔵サーモスタット。
　【請求項７】　弾性導体が電気抵抗により発熱することを特徴とする請求項１記載のヒューズスプリング内蔵サーモスタット。
　【請求項８】　
易溶合金が溶解し、コイルばねが伸長したとき、長さが１．５倍以上になることを特徴とする請求項２記載のヒューズスプリング内蔵サーモスタット。
　【請求項９】　
ヒューズスプリングが、酸化防止のために少くとも一種のフラックスでコーティングされていることを特徴とする請求項１記載のヒューズスプリング内蔵サーモスタット。
　【請求項１０】　
コイルばねを、プレス加工により易溶合金で加締めることにより請求項１のサーモスタットの中で使用されるヒューズスプリングを製造することを特徴とするヒューズスプリングの製造方法。
【発明の詳細な説明】
　【０００１】
　【産業上の利用分野】
　本発明は第１の所定の温度において可逆的に回路を開閉するサーモスタットの機能と、第１の所定の温度より高い第２の所定の温度を超えると永久的に回路を開く温度ヒューズの機能を備えるヒューズスプリング内蔵サーモスタットに関する。
　【０００２】
　【従来の技術】
　電気ヒータ等に内蔵される従来技術による温度スイッチは、温度が第１の所定の温度を超えると可逆的に回路を開閉するサーモスタットと、サーモスタットの故障に備えて、第１の所定の温度より高い第２の所定の温度を超えると、永久的に回路を遮断する温度ヒューズを組合わせている。
　【０００３】
　【発明が解決しようとする課題】
　比較的低価格の電気製品においては、製造費用を削減するために、これらのサーモスタットと温度ヒューズを一つにまとめることが望ましい。しかしながら、異なる部品を組込むので構造が複雑になり、また従来技術に比して製造コストを安くすることも困難である。さらに製品の検査も困難である。これ故、このようなものは実現されていない。
　【０００４】
　本発明は、サーモスタットの固定接点と可動接点が融着して離れなくなった時に、強制的にかつ永久的に両接点を離す温度ヒューズ機能を有するサーモスタットであって、構造が簡単で、占有体積が小さく、生産が容易で、安価に生産できるものを提供することを課題とする。
　【０００５】
　【課題を解決するための手段】
　外部回路に接続される第１の端子を一端に有する第１の固定導体と、外部回路に接続される第２の端子を一端に有する第２の固定導体と、上記第１の固定導体と上記第２の固定導体を互いに電気的に絶縁しながら支持する基体と、上記第１の固定導体上に設けられた固定接点と、一端が上記第２の固定導体に固定された弾性導体と、弾性導体の他端に上記固定接点に接触可能に配置された可動接点と、第１の所定の温度を超えるとそれの形状の曲率の符号を可逆的に反転させるバイメタル板であって、曲率の符号を変えるときに弾性導体を変形させるように配置され、弾性導体が変形することにより固定接点と可動接点が接触しあるいは離れるバイメタルを備えるサーモスタットにおいて、
コイルばねの内部に配置した易溶合金を加圧変形して該コイルばねを圧縮状態で加締めてなるヒューズスプリングを設け、上記第１の所定の温度よりも高い
、上記易溶合金が溶融して上記コイルばねの加締めが解除され、この加締めの解除に基づく上記コイルばねの伸長動作によって
る。
　【０００６】
　【作用】
　
第２
　【０００７】
　特にコイルスプリングの素材と易溶合金の素材の間の濡れ性が良い場合は、溶解した合金がコイルスプリングの間に入り、その状態で凝固する。この結果、可動接点と固定接点が離れた状態が確実に維持される。
　【０００８】
　【実施例】
　以下、図面を参照しながら、本発明の実施例について説明する。
　【０００９】
　図１は本発明に係るサーモスタットの好ましい実施例の断面図である。
　【００１０】
　第１の固定導体１は一端に外部回路に接続される第１の端子１ａを有する。第１の固定導体１の中央部に舌状部分１ｂが設けられ、舌状部分１ｂはステップ状に曲げられ、舌状部分の端部に固定接点２が取付けられている。第１の固定導体１の斜視図が図２に示されている。
　【００１１】
　同様に、第２の固定導体３は一端に外部回路に接続される第２の端子３ａを有し、中央部に舌状部分３ｂが設けられ、舌状部分は３ｂはステップ状に曲げられている。
　【００１２】
　第１の固定導体１と第２の固定導体３は、電気的絶縁性の合成樹脂からなる基体４に埋め込まれて、互いに電気的に絶縁されて固定されている。
　【００１３】
　第２の固定導体の舌状部分３ｂに弾性導体板５の一端が固定され、弾性導体板５の他端に可動接点６が設けられている。可動接点６は固定接点２に接触できる位置に配置されている。
　【００１４】
　弾性導体板５にはＣ字形に形成されステップ状に曲げられた爪５ａが設けられ、爪５ａによってバイメタル板７が弾性導体板５に保持されている。
　【００１５】
　バイメタル板７は、所定の温度を超えると形状の曲率の符号を変えるバイメタル素材からなる。この実施例では、弾性導体板５の中央部に穴が穿設され、基体４に設けられた突起４ａの頂部がこの穴を貫通している。この結果、バイメタル板７が形状の曲率の符号を変えると、瞬間的に固定接点２から可動接点６が離れ、あるいは接触する、いわゆるスナップアクションが得られる。
　【００１６】
　弾性導体板５の下部にヒューズスプリング８が配置され、基板４に固定されている。
　【００１７】
　第１図の実施例で用いられているヒューズスプリング８は、図４の斜視図に示されているように、コイルスプリング８ａを収縮変形させた状態で、易溶合金８ｂの中に埋め込んだものである。
　【００１８】
　ヒューズスプリング８は例えば図５、図６に示すように、雌型９ａの中にコイルスプリング８ｂを置き、コイルスプリング８ｂの中心部に円柱状の易溶合金を置き、雄型９ｂでプレス加工で加締めることによって得られる。ヒューズスプリング８は酸化を防止するために少くとも一種のフラックスでコーティングすることが好ましい。
　【００１９】
　第２の設定温度である易溶合金の融点より温度が高くなると、易溶合金が融解し、コイルスプリング８ｂが第３図のように伸長し、弾性導体板５を押上げる。この結果、可動接点６は固定接点２から離れる。これは不可逆過程であり、温度が低下し易溶合金が凝固しても、この状態が維持される。すなわち、ヒューズスプリング８は温度ヒューズとして機能する。
　【００２０】
　他の実施例では、コイルスプリングがバイメタル板７を押し上げ、その結果として弾性導体板５を押し上げる構成とすることもできる。
　【００２１】
　コイルスプリングは圧縮した状態から伸長した状態に移った時に、長さが１．５倍以上になることが好ましい。
　【００２２】
　ヒューズスプリング１０を凹部４ｂの中に収納し、コイルスプリングが伸長したとき、弾性導体板５に当接させることにより金属滴が飛び散ることを防止することができる。
　【００２３】
　図７はヒューズスプリング８の他の好ましい実施例の断面図である。この実施例では、ヒューズスプリング８の少くとも側面と上面はキャップ８ｃによって覆われている。
　【００２４】
　易溶合金が溶解し、コイルスプリング８ａが伸長するとき、図８に点線で示すように金属滴８ｄが飛び散ることがある。図７，８の実施例では、キャップ８ｃがこの金属滴８ｄが飛び散ることを防止する。
　【００２５】
　本発明で使われる易溶合金として次のようなものがある。＃１：Ｂｉ（４４．７０％），Ｐｂ（２２．６０％），Ｓｎ（８．３０），Ｃｄ（５．３０），Ｉｎ（１９．１０）の共晶、＃２：Ｂｉ（４９．４０％），Ｐｂ（１８．００％），Ｓｎ（１１．６０％），Ｉｎ（２１．００％）の共晶、＃３：Ｂｉ（５０．００％），Ｐｂ（２６．７０％），Ｓｎ（１３．３０％），Ｃｄ（１０．００％）の共晶、＃４：Ｓｎ（１７．３０％），Ｉｎ（２５．２０％）の共晶、＃５：Ｂｉ（５０．０％），Ｐｂ（４０．２０％），Ｃｄ（８．１５％）の共晶。これらの共晶合金は、融解温度が精密に決定できるので、本発明の易溶合金として好ましい。しかし共晶合金以外の合金、例えばＢｉ（４２．３４％），Ｐｂ（２２．８６％），Ｓｎ（１１．００％），Ｃｄ（８．４６％），Ｉｎ（１５．３４％）の合金等も本発明の易溶合金として使用することができる。この場合は融解温度がある温度区間となる。
　【００２６】
　第２の設定温度は、適切な融点を持つ易溶合金を選択することにより調節することができる。しかし、さらに、弾性導体板５の材質を選ぶことにより弾性導体板５の電気抵抗を調節し、電気抵抗の発熱により、周囲の温度より内部の温度を高くすることにより、実質的に第２の設定温度を下げることができる。弾性導体板としてはベリリューム銅、洋白、ステンレス等が使用できる。
　【００２７】
　【発明の効果】
　１）サーモスタットと温度ヒューズを一体化できる。
　２）構造が、機能に比して簡単である。
　３）製造費用が低廉である。
　４）温度ヒューズの部分とサーモスタットの部分を独立に製品検査できるので、信頼性が高い。
【図面の簡単な説明】
　【図１】
　本発明に係るヒューズスプリング内蔵サーモスタットの概念的断面図。
　【図２】
　図１の第１の固定導体１の斜視図。
　【図３】
　図１のヒューズスプリング内蔵サーモスタットの第２の所定温度以上における状態の概念的断念図。
　【図４】
　ヒューズスプリングの好ましい一例の斜視図。
　【図５】
　図４のヒューズスプリングの製造の一工程における断面図。
　【図６】
　図４のヒューズスプリングの製造の一工程における断面図。
　【図７】
　ヒューズスプリングの他の好ましい一例の断面図。
　【図８】
　図７のヒューズスプリングの第２所定温度以上における状態の概念的図面図。
　【符号の説明】
　１　第１の固定導体
　２　固定接点
　３　第２の固定導体
　４　基体
　５　弾性導体板
　６　可動接点
　７　バイメタル板
　８　ヒューズスプリング
【図面】